(57)【要約】【課題】被画像形成媒体の色の異なる消色処置後の被画像形成媒体をより容易に分別をすることができる、振り分け装置及びプログラムを提供することである。【解決手段】実施形態の、振り分け装置は、消色部と、搬送部と、排紙部と、読取部と、判定部と、排紙先制御部とを持つ。消色部は、前記被画像形成媒体を消色する。搬送部は、前記被画像形成媒体を搬送する。排紙部は、排紙された前記被画像形成媒体を載置する複数の載置部を有する。読取部は、前記被画像形成媒体の画像を読取る。判定部は、前記消色部によって前記被画像形成媒体を消色した後の前記被画像形成媒体を前記読取部にて読取り、この読取った画像に基づいて前記被画像形成媒体の色を判定する。排紙先制御部は、前記判定部の判定結果にしたがって、前記被画像形成媒体の色に応じた前記排紙部へ前記被画像形成媒体を搬送するよう前記搬送部を制御する。【選択図】図１
2018120095.tif 000002
【特許請求の範囲】
【請求項１】
前記被画像形成媒体を消色する消色部と、
前記被画像形成媒体を搬送する搬送部と、
排紙された前記被画像形成媒体を載置する複数の載置部を有する排紙部と、
前記被画像形成媒体の画像を読取る読取部と、
前記消色部によって前記被画像形成媒体を消色した後の前記被画像形成媒体を前記読取部にて読取り、この読取った画像に基づいて前記被画像形成媒体の色を判定する判定部と、
前記判定部の判定結果にしたがって、前記被画像形成媒体の色に応じた前記排紙部へ前記被画像形成媒体を搬送するよう前記搬送部を制御する排紙先制御部と、
を備える、
振り分け装置。
【請求項２】
前記読取部は、消色処理前及び消色処理後の前記被画像形成媒体の画像を読取り、    
前記判定部は、前記読取部が取得した消色処理前の前記被画像形成媒体の画像と前記読取部が読取った消色処理後の前記被画像形成媒体の画像に基づいて、前記被画像形成媒体の再利用可能性を判定する、
請求項１に記載の振り分け装置。
【請求項３】
前記判定部は、再利用不可能と判定した前記被画像形成媒体について、前記被画像形成媒体の色の判定を行わない、
請求項１に記載の振り分け装置。
【請求項４】
前記排紙先制御部は、対応する排紙先が存在しない前記被画像形成媒体の色の前記被画像形成媒体については、前記被画像形成媒体の色に応じていずれかの排紙先に排紙する。
請求項１に記載の振り分け装置。
【請求項５】
前記被画像形成媒体を消色する消色部と、前記被画像形成媒体を搬送する搬送部と、排紙された前記被画像形成媒体を載置する複数の載置部を有する排紙部と、前記被画像形成媒体の画像を読取る読取部と、を有するコンピュータに対し、
前記消色部によって消色された前記被画像形成媒体の色を、前記読取部が読取った画像に基づいて判定するステップと、
この判定結果に基づいて前記被画像形成媒体の色に応じた前記排紙部の載置部へ前記搬送部を制御して前記被画像形成媒体を搬送するステップと、
を実行させるためのプログラム。
【発明の詳細な説明】
【技術分野】
【０００１】
本発明の実施形態は、振り分け装置及びプログラムに関する。
【背景技術】
【０００２】
従来、画像が形成された被画像形成媒体に対し消色処理を行うことによって、被画像形成媒体を再利用可能な状態にする消色装置が知られている。消色処理後の被画像形成媒体の画像を取得し、再利用の可否を判断して各々のトレイに分別排紙する技術も提案されている。しかしながら、上記の技術では、消色処理後の被画像形成媒体は被画像形成媒体の色（白色、緑色、青色等）が異なっていても同じリユーストレイに排紙される。そのため、ユーザーは、排紙後に被画像形成媒体の色の違いによって手作業で被画像形成媒体を分別する必要があった。
【先行技術文献】
【特許文献】
【０００３】
【特許文献１】特開２０１４−７４９２９号公報
【発明の概要】
【発明が解決しようとする課題】
【０００４】
本発明が解決しようとする課題は、被画像形成媒体の色の異なる消色処置後の被画像形成媒体をより容易に分別をすることができる、振り分け装置及びプログラムを提供することである。
【課題を解決するための手段】
【０００５】
実施形態の、振り分け装置は、消色部と、搬送部と、排紙部と、読取部と、判定部と、排紙先制御部とを持つ。消色部は、前記被画像形成媒体を消色する。搬送部は、前記被画像形成媒体を搬送する。排紙部は、排紙された前記被画像形成媒体を載置する複数の載置部を有する。読取部は、前記被画像形成媒体の画像を読取る。判定部は、前記消色部によって前記被画像形成媒体を消色した後の前記被画像形成媒体を前記読取部にて読取り、この読取った画像に基づいて前記被画像形成媒体の色を判定する。排紙先制御部は、前記判定部の判定結果にしたがって、前記被画像形成媒体の色に応じた前記排紙部へ前記被画像形成媒体を搬送するよう前記搬送部を制御する。
【図面の簡単な説明】
【０００６】
【図１】振り分け装置１の機能を示す概略ブロック図。
【図２】振り分け装置１の構成図。
【図３】振り分け装置１の第１の搬送路における被画像形成媒体の搬送を示す図。
【図４】振り分け装置１の第２の搬送路における被画像形成媒体の搬送を示す図。
【図５】振り分け装置１の消色処理後のよう第１の搬送路における被画像形成媒体の搬送を示す図。
【図６】振り分け装置１の処理の流れの具体例を示すフローチャート。
【図７】複数筐体間でのデータやり取り時のデータ形式の具体例。
【発明を実施するための形態】
【０００７】
以下、実施形態の振り分け装置及びプログラムを、図面を参照して説明する。なお、本実施形態における「消色」とは、被画像形成媒体の下地の色とは異なる色（有彩色のみならず白色及び黒色等の無彩色を含む。）で形成された画像を視覚的に見えなくすることを意味する。
【０００８】
図１は、実施形態の振り分け装置の機能を示す概略ブロック図である。振り分け装置１は、コントロールパネル１１０と、給紙部１２０と、搬送部１３０と、画像読取部１４０と、画像記憶部１５０と、消色部１６０と、排紙部１７０及び制御部１８０を備える装置として機能する。
なお、画像読取部１４０は、読取部の一例である。
【０００９】
コントロールパネル１１０は、表示部１１１と、操作部１１２及び表示制御部１１３を備える。例えば、表示部１１１と、操作部１１２及び表示制御部１１３は、タッチパネル式の液晶ディスプレイである。表示部１１１は、振り分け装置１に関する情報を表示する。操作部１１２は、ユーザーの操作に応じて装置制御情報を生成する。表示制御部１１３は表示部１１１における表示を制御する。操作部１１２は、タッチパネル式に代えて、プッシュ式ボタンやダイヤル式ボタン等を用いて構成されていてもよい。
【００１０】
給紙部１２０は、トレイを備える。給紙部１２０は、再利用するための被画像形成媒体をトレイ上に積載する。給紙部１２０は、被画像形成媒体の画像を消色するために、振り分け装置１の内部へ被画像形成媒体を供給する。給紙部１２０は、トレイ上に積載された被画像形成媒体を一枚ずつ取り出し、振り分け装置１の内部へと給紙する。
【００１１】
搬送部１３０は、経路構成部１３１と経路変更部１３２を備える。搬送部１３０の各機能のすべて又は一部は、複数のローラやモーター等の機械部品とそれらを電子的に制御するための電子部品とを用いて構成される。経路構成部１３１は被画像形成媒体を搬送する搬送路である。経路変更部１３２は、ユーザー入力や判定部１８４の判定結果を受けて、被画像形成媒体を所定の搬送路に送る駆動部である。
【００１２】
画像読取部１４０は、ＣＣＤ(Charge Coupled Device)やＣＯＭＳ（Complementary Metal Oxide Semiconductor）センサ等のイメージセンサを用いて構成される。画像読取部１４０は搬送されてきた被画像形成媒体の画像を読取る。
【００１３】
画像記憶部１５０は、磁気ハードディスク装置や半導体記憶装置などの記憶装置を用いて構成される。画像記憶部１５０は画像読取部１４０で読取られた被画像形成媒体の画像を記憶する。
【００１４】
消色部１６０は、ヒータランプと、ヒートローラと、プレスローラ及び温度センサを備える。ヒータランプは、ヒートローラを加熱する。ヒートローラは、被画像形成媒体の印刷面に接触して熱を加えながら被画像形成媒体の搬送を行う。プレスローラは、被画像形成媒体をはさんで、ヒートローラと反対側に位置して被画像形成媒体の搬送を行う。温度センサは、ヒートローラの温度を検知する。消色部１６０は、ヒータランプにより加熱されたヒートローラを介して、被画像形成媒体に一定以上の温度や熱を加えることにより、被画像形成媒体の画像を消色する。被画像形成媒体の画像を消色することが消色処理である。
【００１５】
排紙部１７０は、各種処理が施された被画像形成媒体の排紙先となるトレイを備える。トレイは複数個あってもよい。排紙部１７０は、例えば、第１トレイ１７１と第２トレイ１７２及び第３トレイ１７３を備える。この第１トレイ１７１と第２トレイ１７２及び第３トレイ１７３が載置部である。その場合には、例えば、第１トレイ１７１には、判定部１８４で再利用不可能と判定された消色処理後の被画像形成媒体が排紙される。また、第２トレイ１７２及び第３トレイ１７３には、判定部１８４で再利用可能と判定された消色処理後の被画像形成媒体が、被画像形成媒体の色の違いによって、それぞれのトレイに分けて排紙される。トレイの数は４つ以上でもよい。
【００１６】
制御部１８０は、搬送制御部１８１と読取制御部１８２と消色制御部１８３と判定部１８４とを備える。制御部１８０の各機能のすべて又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。
【００１７】
搬送制御部１８１は、ユーザー入力及び判定部１８４の判定結果を受ける。搬送制御部１８１は、判定結果に基づいて、搬送部１３０における被画像形成媒体の搬送制御（所定の搬送先への搬送又は搬送速度の制御等）を行う。なお、搬送制御部１８１は、排紙先制御部の一例である。
【００１８】
読取制御部１８２は、消色処理前及び消色処理後の被画像形成媒体の画像取得時刻を画像読取部１４０に指示する。
【００１９】
消色制御部１８３は、被画像形成媒体の消色処理実行時刻を消色部１６０に指示する。
【００２０】
判定部１８４は、画像読取部１４０が読取った画像に基づいて、消色処理を施された被画像形成媒体の再利用可能性と被画像形成媒体の色を判定する。
【００２１】
図２は、振り分け装置１の構成の具体例を示す構成図である。図２では、排紙部１７０のトレイの数が３つの場合が描かれている。排紙部１７０のトレイの数は前述したようにこれに限定されない。
【００２２】
第１の搬送路１１は、給紙部１２０から始まり、排紙部１７０の各トレイで終わる。第２の搬送路１２は、第１の搬送路１１の画像読取部１４０の下流の分岐点から第１の搬送路１１と分岐し、第１の搬送路１１の画像読取部１４０の上流の合流点で第１の搬送路１１と合流する。分岐点には、経路変更部１３２が配置される。
【００２３】
第１の搬送路１１は、搬送路中に画像読取部１４０を有する。第２の搬送路１２は、搬送路中に消色部１６０を有する。
【００２４】
図３は、振り分け装置１の第１の搬送路１１における消色処理前の被画像形成媒体の搬送方向を搬送方向指示印１３で示す。第１の搬送路１１は、消色処理前の被画像形成媒体を、搬送方向指示印１３で示される方向に沿って、給紙部１２０から第２の搬送路１２に搬送する。
【００２５】
図４は、振り分け装置１の第２の搬送路１２における被画像形成媒体の搬送方向を搬送方向指示印１４で示す。第２の搬送路１２は、消色処理前の被画像形成媒体を、搬送方向指示印１４で示される方向に沿って、第１の搬送路から消色部１６０に搬送する。次に、搬送方向指示印１４で指示される方向にそって、消色部１６０から第１の搬送路１１に搬送する。
【００２６】
図５は、振り分け装置１の第１の搬送路１１における消色処理後の被画像形成媒体の搬送方向を搬送方向指示印１５で示す。第１の搬送路１１は、消色処理後の被画像形成媒体を、搬送方向指示印１５で示される方向に沿って、第２の搬送路から排紙部１７０の各トレイに搬送する。第１の搬送路１１の搬送路中の画像読取部１４０が、消色処理後の被画像形成媒体を読取る。
【００２７】
図６は、振り分け装置１の処理の流れの具体例を示すフローチャートである。例えば、図６は排紙部１７０にトレイが３つある場合のフローを示している。例えば、図６は、被画像形成媒体の色が色１の被画像形成媒体と被画像形成媒体の色が色１以外の被画像形成媒体を消色し振り分ける場合のフローを示している。
【００２８】
振り分け装置１は、給紙部１２０を通して被画像形成媒体を給紙される（ＡＣＴ１０１）。第１の搬送路１１が、給紙された被画像形成媒体を搬送する（ＡＣＴ１０２）。次に画像読取部１４０が、被画像形成媒体の画像を読取り、画像記憶部１５０がその取得された画像を記憶する（ＡＣＴ１０３）。次に、第２の搬送路１２が、第１の搬送路１１から送られてきた被画像形成媒体を搬送する（ＡＣＴ１０４）。第２の搬送路１２の途中に存在する消色部１６０が、被画像形成媒体の画像を消色する（ＡＣＴ１０５）。消色処理の後、第１の搬送路１１が、第２の搬送路１２から送られてきた被画像形成媒体を再度搬送する（ＡＣＴ１０６）。再び、画像読取部１４０が、消色処理後の被画像形成媒体の画像を読取り、画像記憶部１５０がその読取られた画像を記憶する（ＡＣＴ１０７）。次に判定部１８４が、ＡＣＴ１０３で入手した画像とＡＣＴ１０７で入手した画像とを比較し、被画像形成媒体の再利用可能性と再利用可能と判定された被画像形成媒体の色を判定する（ＡＣＴ１０８）。再利用可能性の判定は、画像判別基準がユーザーによって指示された閾値以上であるか否かで判定する（ＡＣＴ１０９）。閾値以上の画像が残っている場合（ＡＣＴ１０９：ＹＥＳ）、判定部１８４は、被画像形成媒体を再利用不可能と判定する（ＡＣＴ１１０）。閾値以上の画像が残っていない場合には（ＡＣＴ１０９：ＮＯ）、被画像形成媒体の色を判定する（ＡＣＴ１１１）。被画像形成媒体の色が色１の場合（ＡＣＴ１１１：ＹＥＳ）、判定部１８４は、被画像形成媒体を再生可能な色１の被画像形成媒体と判定する（ＡＣＴ１１２）。被画像形成媒体の色が色１以外の場合（ＡＣＴ１１１：ＮＯ）、判定部１８４は、被画像形成媒体を再生可能な色１以外の被画像形成媒体と判定する（ＡＣＴ１１３）。次に、搬送制御部１８１は、搬送部１３０を制御することで、被画像形成媒体を所定のトレイに配送する。例えば、搬送制御部１８１は再利用不可能と判定された被画像形成媒体を第１トレイに配送する（ＡＣＴ１１４）。例えば、搬送制御部１８１は、被画像形成媒体の色が色１の再利用可能な被画像形成媒体を第２トレイに配送する（ＡＣＴ１１５）。例えば、搬送制御部１８１は、被画像形成媒体の色が色１以外の再利用可能な被画像形成媒体を第３トレイに配送する（ＡＣＴ１１６）。例えば、被画像形成媒体の色が赤、青、黄及び黒の4種類の被画像形成媒体があり、前述した色１に対応する色が赤であった場合、第３トレイには、被画像形成媒体の色が青、黄及び黒の３種類の被画像形成媒体が排紙される。
【００２９】
以上、排紙部１７０のトレイが３つの場合を具体例として用いて説明してきたが、排紙部のトレイの数は３つに限られるものではない。したがって、より多くの被画像形成媒体の色の被画像形成媒体に対して個別に搬送先を設定することが可能である。
【００３０】
（変形例）
振り分け装置１は、前述したような消色機能と被画像形成媒体の振り分け機能とを１つの筐体で構成される装置であってもよいし、振り分け機能が別の筐体で構成される装置であってもよい。複数の筐体に分けて構成される場合には、被画像形成媒体は、消色処理後、振り分け処理を行う別の筐体に移される。上述した消色処理前の取得画像及び判定部１８４の判定結果等の取得データは、シリアル通信、パラレル通信又は無線等のネットワークを介して物理的に離れた位置に送信されてもよい。取得データは、ＵＳＢ(Universal Serial Bus)を用いて人の手で、振り分け処理を行う別の筐体に伝達されてもよい。振り分け機能は例えば画像形成装置で行っても良い。
【００３１】
消色機能を行う筐体とは別の筐体で振り分け機能のみが行われる場合、複数の被画像形成媒体をまとめて消色した後、まとめて振り分ける使用方法が考えられる。この場合、消色処理を行う筐体が出力する取得データの形式として、被画像形成媒体毎に再利用可能性と被画像形成媒体の色を記録したレコードのデータ形式が考えられる。図７は、データ形式の具体例を示している。用紙ＩＤは、入力された被画像形成媒体の上から何番目かということを示す。再生利用可能性は消色処理後の被画像形成媒体が再利用可能か否かを示す。下地色は被画像形成媒体の色を示す。このデータ形式のデータを取得し、振り分け機能だけを担う別の筐体は被画像形成媒体の振り分けを行う。
【００３２】
以上説明した少なくともひとつの実施形態によれば、被画像形成媒体の色の判定ステップを持つことにより、被画像形成媒体の色の異なる消色処置後の被画像形成媒体をより容易に分別をすることができる。
【００３３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３４】
１…振り分け装置１、１１…第１の搬送路、１２…第２の搬送路、１１０…コントロールパネル、１１１…表示部、１１２…操作部、１１３…表示制御部、１２０…給紙部、１３０…搬送部、１３１…経路構成部、１３２…経路変更部、１３３…搬送ローラ、１４０…画像読取部、１５０…画像記憶部、１６０…消色部、１７０…排紙部、１７１…第１トレイ、１７２…第２トレイ、１７３…第３トレイ、１８０…制御部、１８１…搬送制御部、１８２…読取制御部、１８３…消色制御部、１８４…判定部  
【図１】
2018120095.tif 000003
【図２】
2018120095.tif 000004
【図３】
2018120095.tif 000005
【図４】
2018120095.tif 000006
【図５】
2018120095.tif 000007
【図６】
2018120095.tif 000008
【図７】
2018120095.tif 000009